(57)【要約】【課題】自動販売機における冷凍回路の運転状態を良好な状態に安定的に保つようにする。【解決手段】複数の商品庫２ａ〜２ｃの庫内を個別に冷却する複数の蒸発器４ａ〜４ｃを冷凍回路Ｒにおいて冷媒経路上で並列に配置するとともに、これら蒸発器４ａ〜４ｃに対する個別の電子制御膨張弁１０ａ〜１０ｃを設け、蒸発器４ａ〜４ｃの各々を機能状態と機能停止状態とに切り換える切換操作を行うともに、機能状態にある蒸発器各々の冷媒出口での冷媒過熱度Ｓが目標過熱度Ｓｍになるように電子制御膨張弁１０ａ〜１０ｃの開度を調整する制御手段１５を設ける自動販売機において、制御手段１５を、各蒸発器４ａ〜４ｃの機能状態と機能停止状態とへの切り換え状況に応じて目標過熱度Ｓｍを変更する構成にする。【選択図】　　　　図１
2004078356.tif 000002
【特許請求の範囲】
【請求項１】
複数の商品庫の庫内を個別に冷却する複数の蒸発器を設け、外気に対して放熱する凝縮器を備える蒸気圧縮式の冷凍回路において、複数の前記蒸発器を冷媒経路上で並列に配置するとともに、これら複数の蒸発器に対する個別の電子制御膨張弁を設け、
前記蒸発器の各々を機能状態と機能停止状態とに切り換える切換操作を行うともに、機能状態にある蒸発器各々の冷媒出口での冷媒過熱度が目標過熱度になるように前記電子制御膨張弁の開度を調整する制御手段を設けてある自動販売機であって、
前記制御手段を、前記蒸発器各々の機能状態と機能停止状態とへの切り換え状況に応じて前記目標過熱度を変更する構成にしてある自動販売機。
【請求項２】
複数の商品庫の庫内を個別に冷却する複数の蒸発器を設け、外気に対して放熱する凝縮器を備える蒸気圧縮式の冷凍回路において、複数の前記蒸発器を冷媒経路上で並列又は直列に配置するとともに、これら複数の蒸発器に対する共通の電子制御膨張弁を設け、
前記蒸発器の各々を機能状態と機能停止状態とに切り換える切換操作を行うとともに、前記蒸発器の並列配置群又は直列配置群における冷媒出口での冷媒過熱度が目標過熱度になるように前記電子制御膨張弁の開度を調整する制御手段を設けてある自動販売機であって、
前記制御手段を、前記蒸発器各々の機能状態と機能停止状態とへの切り換え状況に応じて前記目標過熱度を変更する構成にしてある自動販売機。
【請求項３】
複数の商品庫の庫内を個別に冷却する複数の蒸発器を設け、外気に対して放熱する凝縮器を備える蒸気圧縮式の冷凍回路において、複数の前記蒸発器を冷媒経路上で並列に配置するとともに、これら複数の蒸発器のうちの一部の蒸発器に対する電子制御膨張弁、及び、それら複数の蒸発器のうちの他の蒸発器に対するキャピラリーチューブを設け、
前記蒸発器の各々を機能状態と機能停止状態とに切り換える切換操作を行うともに、前記蒸発器の並列配置群における冷媒出口での冷媒過熱度又は機能状態にある前記一部蒸発器の冷媒出口での冷媒過熱度が目標過熱度になるように前記電子制御膨張弁の開度を調整する制御手段を設けてある自動販売機であって、
前記制御手段を、前記蒸発器各々の機能状態と機能停止状態とへの切り換え状況に応じて前記目標過熱度を変更する構成にしてある自動販売機。
【請求項４】
前記制御手段を、前記切り換え状況と外気温と過熱度とについての設定対応関係に基づき、前記目標過熱度を前記設定対応関係上でその時の前記切り換え状況及びその時の外気温に対応する過熱度に変更する構成にしてある請求項１〜３のいずれか１項に記載の自動販売機。
【請求項５】
前記制御手段を、前記目標過熱度の変更後は設定時間の間、前記目標過熱度の変更を実施しない構成にしてある請求項１〜４のいずれか１項に記載の自動販売機。
【発明の詳細な説明】
【０００１】
【発明の属する技術分野】
本発明は自動販売機に関し、詳しくは、次の（イ）〜（ハ）のうちのいずれかの自動販売機に関する。
【０００２】
（イ）複数の商品庫の庫内を個別に冷却する複数の蒸発器を設け、
外気に対して放熱する凝縮器を備える蒸気圧縮式の冷凍回路において、複数の前記蒸発器を冷媒経路上で並列に配置するとともに、これら複数の蒸発器に対する個別の電子制御膨張弁を設け、
前記蒸発器の各々を機能状態と機能停止状態とに切り換える切換操作を行うともに、機能状態にある蒸発器各々の冷媒出口での冷媒過熱度が目標過熱度になるように前記電子制御膨張弁の開度を調整する制御手段を設けてある自動販売機。
【０００３】
（ロ）　複数の商品庫の庫内を個別に冷却する複数の蒸発器を設け、
外気に対して放熱する凝縮器を備える蒸気圧縮式の冷凍回路において、複数の前記蒸発器を冷媒経路上で並列又は直列に配置するとともに、これら複数の蒸発器に対する共通の電子制御膨張弁を設け、
前記蒸発器の各々を機能状態と機能停止状態とに切り換える切換操作を行うとともに、前記蒸発器の並列配置群又は直列配置群における冷媒出口での冷媒過熱度が目標過熱度になるように前記電子制御膨張弁の開度を調整する制御手段を設けてある自動販売機。
【０００４】
（ハ）　複数の商品庫の庫内を個別に冷却する複数の蒸発器を設け、
外気に対して放熱する凝縮器を備える蒸気圧縮式の冷凍回路において、複数の前記蒸発器を冷媒経路上で並列に配置するとともに、これら複数の蒸発器のうちの一部の蒸発器に対する電子制御膨張弁、及び、それら複数の蒸発器のうちの他の蒸発器に対するキャピラリーチューブを設け、
前記蒸発器の各々を機能状態と機能停止状態とに切り換える切換操作を行うともに、前記蒸発器の並列配置群における冷媒出口での冷媒過熱度又は機能状態にある前記一部蒸発器の冷媒出口での冷媒過熱度が目標過熱度になるように前記電子制御膨張弁の開度を調整する制御手段を設けてある自動販売機。
【０００５】
【従来の技術】
従来、この種の自動販売機では、冷凍回路の運転において上記した各冷媒出口での冷媒過熱度が目標過熱度になるように電子制御膨張弁の開度を調整する膨張弁制御を実行させるのに、使用冷媒種などに応じて適当な目標過熱度をメーカーサイドで固定的に初期設定し、販売機の実使用時には、その固定された目標過熱度での膨張弁制御の実行下で各蒸発器を機能させて各商品庫の庫内を冷却していた（特開２００１−１６５５４７号公報、特開２００１−１６７３４１号公報参照）。
【０００６】
【発明が解決しようとする課題】
しかし、この従来の販売機では、庫内温度に応じ蒸発器を機能状態と機能停止状態とに切り換えることで庫内温度を目標冷却温度に保ったり、あるいは、いずれかの商品庫を季節や商品の売れ行きなどに応じ加熱庫として使用する際にその商品庫の蒸発器を機能停止状態にするなど、販売機の実使用において種々の理由で各々の商品庫につき、その商品庫に対する蒸発器を機能状態と機能停止状態とに切り換える切換操作が実施され、その切り換えにより、いずれの商品庫に対する蒸発器が機能状態にあるかの状況（特に、機能状態にある蒸発器の個数）が変化すると、冷凍回路の運転状態が目標過熱度の初期設定の際に期した適正な運転状態から外れた運転状態になって、冷凍回路の成績係数が低下したり、各商品庫に対する冷却効果が不均一になる等の庫内冷却性能の低下を招いたり、あるいはまた、冷媒圧力異常や液バックなどの運転トラブルを招き易くなるといった問題があった。
【０００７】
この実情に鑑み、本発明の主たる課題は、膨張弁制御に対する合理的な改良により上記問題を効果的に解消する点にある。
【０００８】
【課題を解決するための手段】
〔１〕請求項１に係る発明は自動販売機に係り、その特徴は、
複数の商品庫の庫内を個別に冷却する複数の蒸発器を設け、
外気に対して放熱する凝縮器を備える蒸気圧縮式の冷凍回路において、複数の前記蒸発器を冷媒経路上で並列に配置するとともに、これら複数の蒸発器に対する個別の電子制御膨張弁を設け、
前記蒸発器の各々を機能状態と機能停止状態とに切り換える切換操作を行うともに、機能状態にある蒸発器各々の冷媒出口での冷媒過熱度が目標過熱度になるように前記電子制御膨張弁の開度を調整する制御手段を設ける構成において、
前記制御手段を、前記蒸発器各々の機能状態と機能停止状態とへの切り換え状況に応じて前記目標過熱度を変更する構成にしてある点にある。
【０００９】
つまり、各商品庫に対する蒸発器を冷媒経路上で並列に配置するとともに、それら蒸発器に対する個別の電子制御膨張弁を設ける先述（イ）の自動販売機において、蒸発器各々の機能状態と機能停止状態とへの切り換え状況（換言すれば、いずれの商品庫に対する蒸発器が機能状態にあるかの状況）が変化すると、機能状態にある蒸発器各々の冷媒出口での冷媒過熱度についても、冷凍回路の運転状態を適正なものにする適正過熱度（すなわち、目標過熱度とすべき過熱度）が変化してしまい、このことが従来における先述（イ）の自動販売機において上記切り換え状況が変化すると冷凍回路の運転状態が目標過熱度の固定的な初期設定の際に期した適正な運転状態から外れたものになってしまう原因になっていた。
【００１０】
したがって、機能状態にある蒸発器各々の冷媒出口での冷媒過熱度が目標過熱度になるように各蒸発器に対する個別電子制御膨張弁の開度を制御手段に調整させる先述（イ）の自動販売機において、それら冷媒過熱度（機能状態にある蒸発器各々の冷媒出口での冷媒過熱度）の夫々についての目標過熱度を、上記の如く蒸発器各々の機能状態と機能停止状態とへの切り換え状況に応じて変更するようにすれば、その切り換え状況の変化にかかわらず、機能状態にある蒸発器各々の冷媒出口での冷媒過熱度をその時々の切り換え状況下での適正過熱度にして、冷凍回路の運転状態を適正な運転状態に保つようにすることができる。
【００１１】
そして、このことにより、先述（イ）の自動販売機につき前述の如き従来の問題を効果的に解消することができて、従来に比べ冷凍回路の成績係数（換言すれば省エネ性）や庫内冷却性能を安定的に高く保つことができ、また、冷媒圧力異常や液バックなどの運転トラブルの発生も効果的に防止することができる。
【００１２】
〔２〕請求項２に係る発明は同じく自動販売機に係り、その特徴は、
複数の商品庫の庫内を個別に冷却する複数の蒸発器を設け、
外気に対して放熱する凝縮器を備える蒸気圧縮式の冷凍回路において、複数の前記蒸発器を冷媒経路上で並列又は直列に配置するとともに、これら複数の蒸発器に対する共通の電子制御膨張弁を設け、
前記蒸発器の各々を機能状態と機能停止状態とに切り換える切換操作を行うとともに、前記蒸発器の並列配置群又は直列配置群における冷媒出口での冷媒過熱度が目標過熱度になるように前記電子制御膨張弁の開度を調整する制御手段を設ける構成において、
前記制御手段を、前記蒸発器各々の機能状態と機能停止状態とへの切り換え状況に応じて前記目標過熱度を変更する構成にしてある点にある。
【００１３】
つまり、各商品庫に対する蒸発器を冷媒経路上で並列又は直列に配置するとともに、それら蒸発器に対する共通の電子制御膨張弁を設ける先述（ロ）の自動販売機において、蒸発器各々の機能状態と機能停止状態とへの切り換え状況が変化すると、それら蒸発器の並列配置群や直列配置群における冷媒出口での冷媒過熱度についても、冷凍回路の運転状態を適正なものにする適正過熱度（目標過熱度とすべき過熱度）が変化してしまい、このことが従来における先述（ロ）の自動販売機において上記切り換え状況が変化すると冷凍回路の運転状態が目標過熱度の固定的な初期設定の際に期した適正な運転状態から外れたものになってしまう原因になっていた。
【００１４】
したがって、蒸発器の並列配置群や直列配置群における冷媒出口での冷媒過熱度が目標過熱度になるように各蒸発器に対する共通電子制御膨張弁の開度を制御手段に調整させる先述（ロ）の自動販売機において、その冷媒過熱度（蒸発器の並列配置群や直列配置群における冷媒出口での冷媒過熱度）についての目標過熱度を、上記の如く蒸発器各々の機能状態と機能停止状態とへの切り換え状況に応じて変更するようにすれば、その切り換え状況の変化にかかわらず、蒸発器の並列配置群や直列配置群における冷媒出口での冷媒過熱度をその時々の切り換え状況下での適正過熱度にして、冷凍回路の運転状態を適正な運転状態に保つようにすることができる。
【００１５】
そして、このことにより、請求項１に係る発明と同様、先述（ロ）の自動販売機につき前述の如き従来の問題を効果的に解消することができて、従来に比べ冷凍回路の成績係数（換言すれば省エネ性）や庫内冷却性能を安定的に高く保つことができ、また、冷媒圧力異常や液バックなどの運転トラブルの発生も効果的に防止することができる。
【００１６】
〔３〕請求項３に係る発明は同じく自動販売機に係り、その特徴は、
複数の商品庫の庫内を個別に冷却する複数の蒸発器を設け、
外気に対して放熱する凝縮器を備える蒸気圧縮式の冷凍回路において、複数の前記蒸発器を冷媒経路上で並列に配置するとともに、これら複数の蒸発器のうちの一部の蒸発器に対する電子制御膨張弁、及び、それら複数の蒸発器のうちの他の蒸発器に対するキャピラリーチューブを設け、
前記蒸発器の各々を機能状態と機能停止状態とに切り換える切換操作を行うともに、前記蒸発器の並列配置群における冷媒出口での冷媒過熱度又は機能状態にある前記一部蒸発器の冷媒出口での冷媒過熱度が目標過熱度になるように前記電子制御膨張弁の開度を調整する制御手段を設ける構成において、
前記制御手段を、前記蒸発器各々の機能状態と機能停止状態とへの切り換え状況に応じて前記目標過熱度を変更する構成にしてある点にある。
【００１７】
つまり、各商品庫に対する蒸発器を冷媒経路上で並列に配置するとともに、それら蒸発器のうちの一部の蒸発器に対する電子制御膨張弁、及び、それら蒸発器のうちの他の蒸発器に対するキャピラリーチューブを設ける先述（ハ）の自動販売機において、蒸発器各々の機能状態と機能停止状態とへの切り換え状況が変化すると、先述（イ），（ロ）の自動販売機と同様、それら蒸発器の並列配置群における冷媒出口での冷媒過熱度や、機能状態にある上記一部蒸発器の冷媒出口での冷媒過熱度についても、冷凍回路の運転状態を適正なものにする適正過熱度（目標過熱度とすべき過熱度）が変化してしまい、このことが従来における先述（ハ）の自動販売機において上記切り換え状況が変化すると冷凍回路の運転状態が目標過熱度の固定的な初期設定の際に期した適正な運転状態から外れたものになってしまう原因になっていた。
【００１８】
したがって、蒸発器の並列配置群における冷媒出口での冷媒過熱度、又は、機能状態にある上記一部蒸発器の冷媒出口での冷媒過熱度が目標過熱度になるように上記一部蒸発器に対する電子制御膨張弁の開度を制御手段に調整させる先述（ハ）の自動販売機において、その冷媒過熱度（蒸発器の並列配置群における冷媒出口での冷媒過熱度、又は、機能状態にある上記一部蒸発器の冷媒出口での冷媒過熱度）についての目標過熱度を、上記の如く蒸発器各々の機能状態と機能停止状態とへの切り換え状況に応じて変更するようにすれば、その切り換え状況の変化にかかわらず、蒸発器の並列配置群における冷媒出口での冷媒過熱度、又は、機能状態にある上記一部蒸発器の冷媒出口での冷媒過熱度をその時々の切り換え状況下での適正過熱度にして、冷凍回路の運転状態を適正な運転状態に保つようにすることができる。
【００１９】
そして、このことにより、請求項１，２に係る発明と同様、先述（ハ）の自動販売機につき前述の如き従来の問題を効果的に解消することができて、従来に比べ冷凍回路の成績係数（換言すれば省エネ性）や庫内冷却性能を安定的に高く保つことができ、また、冷媒圧力異常や液バックなどの運転トラブルの発生も効果的に防止することができる。
【００２０】
なお、請求項１〜３に係る発明の実施において、冷媒経路上で並列に配置した蒸発器の各々を機能状態と機能停止状態とに切り換えるには、それら蒸発器に対し個別に設けた電子制御膨張弁を閉弁可能なものにして、それら電子制御膨張弁の開閉により各蒸発器に対する冷媒流通を断続する方式、あるいは、各蒸発器に対し個別に開閉弁を設けて、それら開閉弁の開閉により各蒸発器に対する冷媒流通を断続する方式など、種々の切り換え方式を採用することができる。
【００２１】
また、冷媒経路上で直列に配置した蒸発器の各々を機能状態と機能停止状態とに切り換えるにも、各蒸発器に対しバイパス路を設けるとともに、冷媒を蒸発器に通過させるかバイパス路に通過させるかを切り換える弁機構を設けて、この弁機構により各蒸発器に対する冷媒流通を断続する方式を初め、種々の切り換え方式を採用することができる。
【００２２】
請求項１〜３に係る発明の実施において、蒸発器各々の機能状態と機能停止状態とへの切り換え状況に応じ目標過熱度を変更するには、その切り換え状況と各切り換え状況下での適正過熱度との対応関係を予め設定しておいて、その設定対応関係に基づき、目標過熱度をその設定対応関係上でその時の切り換え状況に対応する過熱度に変更する方式や、その時の切り換え状況下での適正過熱度を所定の演算式により算出して、目標過熱度を算出過熱度に変更する方式など、種々の変更方式を採用することができる。
【００２３】
また、請求項１〜３に係る発明の実施において、蒸発器各々の機能状態と機能停止状態とへの切り換え状況に応じ目標過熱度を変更するのに、機能状態にある蒸発器がいずれの蒸発器（すなわち、いずれの商品庫に対する蒸発器）であるかの区別も行う厳密な形態でその時の切り換え状況に応じて目標過熱度を変更する方式に限らず、簡易には、機能状態にある蒸発器の個数に応じて目標過熱度を変更する方式や、複数の蒸発器のうちの特定の蒸発器が機能状態にあるか否かの状況に応じて目標過熱度を変更する方式などを採用してもよい。
【００２４】
〔４〕請求項４に係る発明は、請求項１〜３のいずれか１項に係る発明の実施に好適な実施形態を特定するものであり、その特徴は、
前記制御手段を、前記切り換え状況と外気温と過熱度とについての設定対応関係に基づき、前記目標過熱度を前記設定対応関係上でその時の前記切り換え状況及びその時の外気温に対応する過熱度に変更する構成にしてある点にある。
【００２５】
つまり、先述（イ）〜（ハ）の各自動販売機における前記した各冷媒出口での冷媒過熱度について、冷凍回路の運転状態を適正なものにする適正過熱度（目標過熱度とすべき過熱度）は、蒸発器各々の機能状態と機能停止状態とへの切り換え状況の変化によって変化するだけでなく、冷凍回路の放熱源である外気の温度によっても変化する。
【００２６】
したがって、上記構成（略言すれば、目標過熱度をその時の前記切り換え状況及びその時の外気温に対して予め設定されている過熱度に変更する制御構成）の実施において、切り換え状況と外気温と過熱度とについての対応関係を設定するのに、その過熱度を対応する切り換え状況及び対応する外気温の下での適正過熱度（すなわち、対応する切り換え状況及び対応する外気温の下で冷凍回路の運転状態を適正なものにする過熱度）にしておけば、蒸発器各々の機能状態と機能停止状態とへの切り換え状況の変化にかかわらず、また、外気温の変化にもかかわらず、冷凍回路の運転状態を適正な運転状態に保つようにすることができ、これにより、冷凍回路の成績係数や庫内冷却性能を一層安定的に高く保つことができ、また、冷媒圧力異常や液バックなどの運転トラブルの発生も一層効果的に防止することができる。
【００２７】
〔５〕請求項５に係る発明は、請求項１〜４のいずれか１項に係る発明の実施に好適な実施形態を特定するものであり、その特徴は、
前記制御手段を、前記目標過熱度の変更後は設定時間の間、前記目標過熱度の変更を実施しない構成にしてある点にある。
【００２８】
つまり、請求項１〜４のいずれかに係る発明の実施により先述（イ）〜（ハ）の各自動販売機において目標過熱度の変更が実行されると、その変更の原因である前記切り換え状況の変化の為に、また、前記した各冷媒出口での冷媒過熱度を新たな目標過熱度に調整する為に冷凍回路の運転状態が一時的に変動するが、この変動の途中に、例えば庫内温度の調整のためにいずれか蒸発器が機能停止状態に切り換えられたり逆に機能状態に切り換えられて、再び目標過熱度の変更があると、運転状態の変動が増長されて極めて不安定な運転状態に陥り、それが原因で庫内温度の上昇や冷凍回路の運転トラブルなどの不都合を招く虞がある。
【００２９】
これに対し、上記構成によれば、設定時間として適当な時間を設定しておくことで、目標過熱度の変更が短時間の間に繰り返されて運転状態の変動が増長されることによる上記の如き運転状態の不安定化を防止することができ、これにより、冷凍回路運転の安定性（換言すれば、庫内冷却機能の安定性）及び耐久性に一層優れた自動販売機にすることができる。
【００３０】
【発明の実施の形態】
〔第１実施形態〕
図１は、缶飲料やペットボトル飲料を販売する自動販売機を示し、機体１の内部には、払い出し商品を収納する断熱構造の第１〜第３の商品庫２ａ〜２ｃを形成してあり、また、機体１の内部で商品庫２ａ〜２ｃの下方には外気流通を許す構造の機器室３を形成し、この機器室３には、各商品庫２ａ〜２ｃの庫内を冷却する蒸発器４ａ〜４ｃとともに蒸気圧縮式の冷凍回路Ｒを構成する凝縮器５及び圧縮機６、並びに、凝縮器５に対し放熱源としての外気を通風する外気ファン７を内装してある。
【００３１】
第１〜第３商品庫２ａ〜２ｃの夫々には、それらの庫内を個別に冷却する上記蒸発器４ａ〜４ｃを内装し、また、第２及び第３商品庫２ｂ，２ｃの夫々には、それらの庫内を個別に加熱する加熱器８ｂ，８ｃ（本実施形態では電気ヒータ）を内装し、さらに、第１〜第３商品庫２ａ〜２ｃの夫々には、庫内の空気を庫内装備の蒸発器４ａ〜４ｃや加熱器８ｂ，８ｃに対して通風する形態で庫内循環させる庫内ファン９ａ〜９ｃを内装してある。
【００３２】
つまり、第１商品庫２ａは蒸発器４ａにより庫内を冷却して収納商品を冷却する冷却専用庫にしてあり、一方、第２及び第３商品庫２ｂ，２ｃの夫々は、加熱器８ｂ，８ｃを機能停止させた状態で蒸発器４ｂ，４ｃより庫内を冷却して収納商品を冷却する冷却庫と、蒸発器４ｂ，４ｃを機能停止させた状態で加熱器８ｂ，８ｃにより庫内を加熱して収納商品を加熱する加熱庫とに切り換え可能な商品庫にしてある。
【００３３】
各商品庫２ａ〜２ｃの蒸発器４ａ〜４ｃは冷凍回路Ｒにおいて冷媒経路上で並列に配置し、また、冷凍回路Ｒには各蒸発器４ａ〜４ｃに対する個別の電子制御膨張弁１０ａ〜１０ｃ（すなわち、蒸発器４ａ〜４ｃとともに冷媒経路上で並列に配置した電子制御膨張弁）を装備してある。
【００３４】
１１ａ〜１１ｃは各商品庫２ａ〜２ｃの庫内温度ｔｉを検出する庫温センサ、１２は外気の温度ｔｏを検出する外気温センサであり、１３ａ〜１３ｃは各蒸発器４ａ〜４ｃの冷媒入口における冷媒温度ｔｒｉを検出する入口冷媒温度センサ、１４ａ〜１４ｃは各蒸発器４ａ〜４ｃの冷媒出口における冷媒温度ｔｒｏを検出する出口冷媒温度センサである。
【００３５】
１５は制御装置であり、この制御装置１５は各センサの検出情報に基づき次の（ａ）〜（ｄ）の各制御を実行する。
【００３６】
（ａ）冷却庫温調制御
冷却専用庫である第１商品庫２ａ、並びに、第２及び第３商品庫２ｂ，２ｃのうち冷却庫としての使用を指定されている商品庫の各々について、庫温センサ１１ａ〜１１ｃにより検出される庫内温度ｔｉが目標冷却温度範囲Ｘを低温側に逸脱すると、その商品庫の蒸発器４ａ〜４ｃに対する電子制御膨張弁１０ａ〜１０ｃを閉弁して、その商品庫の蒸発器４ａ〜４ｃを機能状態から機能停止状態に切り換える。
【００３７】
また、庫温センサ１１ａ〜１１ｃにより検出される庫内温度ｔｉが目標冷却温度範囲Ｘを高温側に逸脱すると、その商品庫の蒸発器４ａ〜４ｃに対する電子制御膨張弁１０ａ〜１０ｃを開弁して、その商品庫の蒸発器４ａ〜４ｃを機能停止状態から機能状態に切り換える。
【００３８】
すなわち、この冷却庫温調制御により、冷却庫として使用されている商品庫の庫内温度ｔｉを目標冷却温度範囲Ｘの範囲内に保つ。
【００３９】
なお、全ての電子制御膨張弁１０ａ〜１０ｃを閉弁して全ての蒸発器４ａ〜４ｃを機能停止状態にする際には、次に少なくとも１つの電子制御膨張弁１０ａ〜１０ｃを開弁して少なくとも１つの蒸発器４ａ〜４ｃを機能状態に切り換えるときまで、圧縮機６の運転を停止して冷凍回路Ｒの運転そのものを停止する。
【００４０】
（ｂ）加熱庫温調制御
第２及び第３商品庫２ｂ，２ｃのうち加熱庫としての使用を指定されている商品庫の各々について、対応蒸発器４ｂ，４ｃの機能停止状態の下で、庫温センサ１１ｂ，１１ｃにより検出される庫内温度ｔｉが目標加熱温度範囲Ｙを高温側に逸脱すると、その商品庫の加熱器８ｂ，８ｃを機能状態から機能停止状態に切り換える。
【００４１】
また、対応蒸発器４ｂ，４ｃの機能停止状態の下で、庫温センサ１１ｂ，１１ｃにより検出される庫内温度ｔｉが目標加熱温度範囲Ｙを低温側に逸脱すると、その商品庫の加熱器８ｂ，８ｃを機能停止状態から機能状態に切り換える。
【００４２】
すなわち、この加熱庫温調制御により、加熱庫として使用されている商品庫の庫内温度ｔｉを目標加熱温度範囲Ｙの範囲内に保つ。
【００４３】
（ｃ）過熱度調整制御
機能状態にある蒸発器４ａ〜４ｃの各々につき、出口冷媒温度センサ１４ａ〜１４ｃにより検出される出口冷媒温度ｔｒｏから入口冷媒温度センサ１３ａ〜１３ｃにより検出される入口冷媒温度ｔｒｉを減算して、その蒸発器４ａ〜４ｃの冷媒出口における冷媒過熱度Ｓ（＝ｔｒｏ―ｔｒｉ）を算出する。
【００４４】
そして、算出した冷媒過熱度Ｓに応じ、その蒸発器４ａ〜４ｃに対する電子制御膨張弁１０ａ〜１０ｃの開度を調整して、その蒸発器４ａ〜４ｃの冷媒出口における冷媒過熱度Ｓを目標過熱度Ｓｍに調整する。
【００４５】
（ｄ）目標過熱度変更制御
機能状態にある蒸発器４ａ〜４ｃの個数ｎと、３つの外気温範囲Ｔ１〜Ｔ３と、過熱度Ｓ１〜Ｓ９との三者についての図２に示す如き設定対応関係Ｋに基づき、機能状態にある蒸発器４ａ〜４ｃの各々についての前記目標過熱度Ｓｍを、その設定対応関係Ｋ上において、その時の機能状態蒸発器４ａ〜４ｃの個数ｎとその時の外気温センサ１２による検出外気温ｔｏが属する外気温範囲Ｔ１〜Ｔ３との両方に対応する過熱度Ｓ１〜Ｓ９に変更する。
【００４６】
上記の設定対応関係Ｋにおいて、３つの外気温範囲Ｔ１〜Ｔ３は、年間を通じての外気温ｔｏの変化範囲を夏季の外気温変化範囲と冬季の外気温変化範囲と中間季の外気温変化範囲とに区分したものであり、また、各過熱度Ｓ１〜Ｓ９には、対応する機能状態蒸発器４ａ〜４ｃの個数ｎ及び対応する外気温範囲Ｔ１〜Ｔ３の下で冷凍回路Ｒの運転状態を適正なものにする過熱度を選定してある。
【００４７】
なお、上記の設定対応関係Ｋにおける各過熱度Ｓ１〜Ｓ９は、蒸発器４ａ〜４ｃごとの個別の過熱度にするのが望ましいが、各蒸発器４ａ〜４ｃがほぼ同条件のものである場合など、場合によっては各蒸発器４ａ〜４ｃについて共通の過熱度にしてよい。
【００４８】
つまり、この自動販売機では、（ｃ）の過熱度調整制御とともに（ｄ）の目標過熱度変更制御を実行することで、各蒸発器４ａ〜４ｃの機能状態と機能停止状態とへの切り換え状況の変化（具体的には機能状態にある蒸発器４ａ〜４ｃの個数ｎの変化）や、外気温ｔｏの変化（具体的には該当する外気温範囲Ｔ１〜Ｔ３の変化）にかかわらず、冷凍回路Ｒの運転状態を適正な運転状態に保つようにしてある。
【００４９】
以上要するに、本第１実施形態の自動販売機において、制御装置１５は、冷媒経路上で並列に配置した蒸発器４ａ〜４ｃの各々を機能状態と機能停止状態とに切り換える切換操作を行うとともに、機能状態にある蒸発器４ａ〜４ｃ各々の冷媒出口での冷媒過熱度Ｓが目標過熱度Ｓｍになるように各蒸発器４ａ〜４ｃに対する個別電子制御膨張弁１０ａ〜１０ｃの開度を調整する制御手段を構成する。
【００５０】
そして、この制御装置１５は、各蒸発器４ａ〜４ｃの機能状態と機能停止状態とへの切り換え状況（機能状態にある蒸発器４ａ〜４ｃの個数ｎ）、及び、外気温ｔｏ（該当する外気温範囲Ｔ１〜Ｔ３）に応じ、機能状態にある蒸発器４ａ〜４ｃの各々について上記目標過熱度Ｓｍを変更する構成にしてある。
【００５１】
〔第２実施形態〕
図３は、冷凍回路Ｒの回路構成が第１実施形態の自動販売機と相違する自動販売機を示し、この自動販売機では、各商品庫２ａ〜２ｃの蒸発器４ａ〜４ｃを冷凍回路Ｒの冷媒経路上で並列に配置するのに対し、それら蒸発器４ａ〜４ｃに対する共通の電子制御膨張弁１０（すなわち、蒸発器４ａ〜４ｃの並列配置群に対する電子制御膨張弁）、及び、各蒸発器４ａ〜４ｃに対する個別の開閉弁Ｖａ〜Ｖｃを冷凍回路Ｒに装備してある。
【００５２】
１３は蒸発器４ａ〜４ｃの並列配置群における冷媒入口での冷媒温度ｔｒｉを検出する入口冷媒温度センサ、１４は蒸発器４ａ〜４ｃの並列配置群における冷媒出口での冷媒温度ｔｒｏを検出する出口冷媒温度センサである。
【００５３】
そして、この自動販売機において制御装置１５は各センサの検出情報に基づき次の（ａ）〜（ｄ）の各制御を実行する。
【００５４】
（ａ）冷却庫温調制御
冷却専用庫である第１商品庫２ａ、並びに、第２及び第３商品庫２ｂ，２ｃのうち冷却庫としての使用を指定されている商品庫の各々について、庫温センサ１１ａ〜１１ｃにより検出される庫内温度ｔｉが目標冷却温度範囲Ｘを低温側に逸脱すると、その商品庫の蒸発器４ａ〜４ｃに対する開閉弁Ｖａ〜Ｖｃを閉弁して、その商品庫の蒸発器４ａ〜４ｃを機能状態から機能停止状態に切り換える。
【００５５】
また、庫温センサ１１ａ〜１１ｃにより検出される庫内温度ｔｉが目標冷却温度範囲Ｘを高温側に逸脱すると、その商品庫の蒸発器４ａ〜４ｃに対する開閉弁Ｖａ〜Ｖｃを開弁して、その商品庫の蒸発器４ａ〜４ｃを機能停止状態から機能状態に切り換える。
【００５６】
すなわち、この冷却庫温調制御により、冷却庫として使用されている商品庫の庫内温度ｔｉを目標冷却温度範囲Ｘの範囲内に保つ。
【００５７】
なお、全ての開閉弁Ｖａ〜Ｖｃを閉弁して全ての蒸発器４ａ〜４ｃを機能停止状態にする際には、次に少なくとも１つの開閉弁Ｖａ〜Ｖｃを開弁して少なくとも１つの蒸発器４ａ〜４ｃを機能状態に切り換えるときまで、圧縮機６の運転を停止して冷凍回路Ｒの運転そのものを停止する。
【００５８】
（ｂ）加熱庫温調制御
加熱庫温調制御については、第１実施形態の自動販売機と同様、第２及び第３商品庫２ｂ，２ｃのうち加熱庫としての使用を指定されている商品庫の各々について、対応蒸発器４ｂ，４ｃの機能停止状態の下で、庫温センサ１１ｂ，１１ｃにより検出される庫内温度ｔｉが目標加熱温度範囲Ｙを高温側に逸脱すると、その商品庫の加熱器８ｂ，８ｃを機能状態から機能停止状態に切り換える。
【００５９】
また、対応蒸発器４ｂ，４ｃの機能停止状態の下で、庫温センサ１１ｂ，１１ｃにより検出される庫内温度ｔｉが目標加熱温度範囲Ｙを低温側に逸脱すると、その商品庫の加熱器８ｂ，８ｃを機能停止状態から機能状態に切り換える。
【００６０】
すなわち、この加熱庫温調制御により、加熱庫として使用されている商品庫の庫内温度ｔｉを目標加熱温度範囲Ｙの範囲内に保つ。
【００６１】
（ｃ）過熱度調整制御
蒸発器４ａ〜４ｃの並列配置群につき、出口冷媒温度センサ１４により検出される出口冷媒温度ｔｒｏから入口冷媒温度センサ１３により検出される入口冷媒温度ｔｒｉを減算して、蒸発器４ａ〜４ｃの並列配置群における冷媒出口での冷媒過熱度Ｓ（＝ｔｒｏ―ｔｒｉ）を算出する。
【００６２】
そして、算出した冷媒過熱度Ｓに応じ、各蒸発器４ａ〜４ｃに対する共通電子制御膨張弁１０の開度を調整して、蒸発器４ａ〜４ｃの並列配置群における冷媒出口での冷媒過熱度Ｓを目標過熱度Ｓｍに調整する。
【００６３】
（ｄ）目標過熱度変更制御
機能状態にある蒸発器４ａ〜４ｃの個数ｎと、３つの外気温範囲Ｔ１〜Ｔ３と、過熱度Ｓ１〜Ｓ９との三者についての前記図２に示す如き設定対応関係Ｋに基づき、蒸発器４ａ〜４ｃの並列配置群についての前記目標過熱度Ｓｍを、その設定対応関係Ｋ上において、その時の機能状態蒸発器４ａ〜４ｃの個数ｎとその時の外気温センサ１２による検出外気温ｔｏが属する外気温範囲Ｔ１〜Ｔ３との両方に対応する過熱度Ｓ１〜Ｓ９に変更する。
【００６４】
なお、上記の設定対応関係Ｋにおいて、３つの外気温範囲Ｔ１〜Ｔ３は、年間を通じての外気温ｔｏの変化範囲を夏季の外気温変化範囲と冬季の外気温変化範囲と中間季の外気温変化範囲とに区分したものであり、また、蒸発器４ａ〜４ｃの並列配置群についての各過熱度Ｓ１〜Ｓ９には、対応する機能状態蒸発器４ａ〜４ｃの個数ｎ及び対応する外気温範囲Ｔ１〜Ｔ３の下で冷凍回路Ｒの運転状態を適正なものにする過熱度を選定してある。
【００６５】
つまり、この自動販売機においても、第１実施形態の自動販売機と同様、（ｃ）の過熱度調整制御とともに（ｄ）の目標過熱度変更制御を実行することで、各蒸発器４ａ〜４ｃの機能状態と機能停止状態とへの切り換え状況の変化（機能状態にある蒸発器４ａ〜４ｃの個数ｎの変化）や、外気温ｔｏの変化（該当する外気温範囲Ｔ１〜Ｔ３の変化）にかかわらず、冷凍回路Ｒの運転状態を適正な運転状態に保つようにしてある。
【００６６】
以上要するに、本第２実施形態の自動販売機において、制御装置１５は、冷媒経路上で並列に配置した蒸発器４ａ〜４ｃの各々を機能状態と機能停止状態とに切り換える切換操作を行うとともに、それら蒸発器４ａ〜４ｃの並列配置群における冷媒出口での冷媒過熱度Ｓが目標過熱度Ｓｍになるように各蒸発器４ａ〜４ｃに対する共通電子制御膨張弁１０の開度を調整する制御手段を構成する。
【００６７】
そして、この制御装置１５は、各蒸発器４ａ〜４ｃの機能状態と機能停止状態とへの切り換え状況（機能状態にある蒸発器４ａ〜４ｃの個数ｎ）、及び、外気温ｔｏ（該当する外気温範囲Ｔ１〜Ｔ３）に応じ、蒸発器４ａ〜４ｃの並列配置群についての上記目標過熱度Ｓｍを変更する構成にしてある。
【００６８】
〔第３実施形態〕
図４は、冷凍回路Ｒの回路構成が第１及び第２実施形態の自動販売機と相違する自動販売機を示し、この自動販売機では、各商品庫２ａ〜２ｃの蒸発器４ａ〜４ｃを、第１商品庫２ａに対する第１蒸発器４ａ−第２商品庫２ｂに対する第２蒸発器４ｂ−第３商品庫２ｃに対する第３蒸発器４ｃの順に冷凍回路Ｒの冷媒経路上で直列に配置し、それら蒸発器４ａ〜４ｃに対する共通の電子制御膨張弁１０（すなわち、蒸発器４ａ〜４ｃの直列配置群に対する電子制御膨張弁）を冷凍回路Ｒに装備してある。
【００６９】
また、この蒸発器直列回路において、各蒸発器４ａ〜４ｃに対する個別のバイパス路ｐ１〜ｐ３を設けるとともに、各蒸発器４ａ〜４ｃに対する開閉弁Ｖａ〜Ｖｃ、及び、各バイパス路ｐ１〜ｐ３に対する開閉弁Ｖ１〜Ｖ３を設けてある。
【００７０】
１３は蒸発器４ａ〜４ｃの直列配置群における冷媒入口での冷媒温度ｔｒｉを検出する入口冷媒温度センサ、１４は蒸発器４ａ〜４ｃの直列配置群における冷媒出口での冷媒温度ｔｒｏを検出する出口冷媒温度センサである。
【００７１】
この自動販売機において制御装置１５は各センサの検出情報に基づき次の（ａ）〜（ｄ）の各制御を実行する。
【００７２】
（ａ）冷却庫温調制御
冷却専用庫である第１商品庫２ａ、並びに、第２及び第３商品庫２ｂ，２ｃのうち冷却庫としての使用を指定されている商品庫の各々について、庫温センサ１１ａ〜１１ｃにより検出される庫内温度ｔｉが目標冷却温度範囲Ｘを低温側に逸脱すると、その商品庫の蒸発器４ａ〜４ｃに対する開閉弁Ｖａ〜Ｖｃを閉弁するとともに、その商品庫の蒸発器４ａ〜４ｃに対するバイパス路ｐ１〜ｐ３の開閉弁Ｖ１〜Ｖ３を開弁して、その商品庫の蒸発器４ａ〜４ｃを機能状態から機能停止状態に切り換える。
【００７３】
また、庫温センサ１１ａ〜１１ｃにより検出される庫内温度ｔｉが目標冷却温度範囲Ｘを高温側に逸脱すると、その商品庫の蒸発器４ａ〜４ｃに対する開閉弁Ｖａ〜Ｖｃを開弁するとともに、その商品庫の蒸発器４ａ〜４ｃに対するバイパス路ｐ１〜ｐ３の開閉弁Ｖ１〜Ｖ３を閉弁して、その商品庫の蒸発器４ａ〜４ｃを機能停止状態から機能状態に切り換える。
【００７４】
すなわち、この冷却庫温調制御により、冷却庫として使用されている商品庫の庫内温度ｔｉを目標冷却温度範囲Ｘの範囲内に保つ。
【００７５】
なお、第２実施形態の自動販売機と同様、全ての開閉弁Ｖａ〜Ｖｃを閉弁して全ての蒸発器４ａ〜４ｃを機能停止状態にする際には、次に少なくとも１つの開閉弁Ｖａ〜Ｖｃを開弁して少なくとも１つの蒸発器４ａ〜４ｃを機能状態に切り換えるときまで、圧縮機６の運転を停止して冷凍回路Ｒの運転そのものを停止する。
【００７６】
（ｂ）加熱庫温調制御
加熱庫温調制御については、第１及び第２実施形態の自動販売機と同様、第２及び第３商品庫２ｂ，２ｃのうち加熱庫としての使用を指定されている商品庫の各々について、対応蒸発器４ｂ，４ｃの機能停止状態の下で、庫温センサ１１ｂ，１１ｃにより検出される庫内温度ｔｉが目標加熱温度範囲Ｙを高温側に逸脱すると、その商品庫の加熱器８ｂ，８ｃを機能状態から機能停止状態に切り換える。
【００７７】
また、対応蒸発器４ｂ，４ｃの機能停止状態の下で、庫温センサ１１ｂ，１１ｃにより検出される庫内温度ｔｉが目標加熱温度範囲Ｙを低温側に逸脱すると、その商品庫の加熱器８ｂ，８ｃを機能停止状態から機能状態に切り換える。
【００７８】
すなわち、この加熱庫温調制御により、加熱庫として使用されている商品庫の庫内温度ｔｉを目標加熱温度範囲Ｙの範囲内に保つ。
【００７９】
（ｃ）過熱度調整制御
蒸発器４ａ〜４ｃの直列配置群につき、出口冷媒温度センサ１４により検出される出口冷媒温度ｔｒｏから入口冷媒温度センサ１３により検出される入口冷媒温度ｔｒｉを減算して、蒸発器４ａ〜４ｃの直列配置群における冷媒出口での冷媒過熱度Ｓ（＝ｔｒｏ―ｔｒｉ）を算出する。
【００８０】
そして、算出した冷媒過熱度Ｓに応じ、各蒸発器４ａ〜４ｃに対する共通電子制御膨張弁１０の開度を調整して、蒸発器４ａ〜４ｃの直列配置群における冷媒出口での冷媒過熱度Ｓを目標過熱度Ｓｍに調整する。
【００８１】
（ｄ）目標過熱度変更制御
第２実施形態の自動販売機と同様、機能状態にある蒸発器４ａ〜４ｃの個数ｎと、３つの外気温範囲Ｔ１〜Ｔ３と、過熱度Ｓ１〜Ｓ９との三者についての図２に示す如き設定対応関係Ｋに基づき、蒸発器４ａ〜４ｃの直列配置群についての前記目標過熱度Ｓｍを、その設定対応関係Ｋ上において、その時の機能状態蒸発器４ａ〜４ｃの個数ｎとその時の外気温センサ１２による検出外気温ｔｏが属する外気温範囲Ｔ１〜Ｔ３との両方に対応する過熱度Ｓ１〜Ｓ９に変更する。
【００８２】
なお、第２実施形態の自動販売機と同様、上記の設定対応関係Ｋにおいて、３つの外気温範囲Ｔ１〜Ｔ３は、年間を通じての外気温ｔｏの変化範囲を夏季の外気温変化範囲と冬季の外気温変化範囲と中間季の外気温変化範囲とに区分したものであり、また、蒸発器４ａ〜４ｃの直列配置群についての各過熱度Ｓ１〜Ｓ９には、対応する機能状態蒸発器４ａ〜４ｃの個数ｎ及び対応する外気温範囲Ｔ１〜Ｔ３の下で冷凍回路Ｒの運転状態を適正なものにする過熱度を選定してある。
【００８３】
つまり、この自動販売機においても、第１及び第２実施形態の自動販売機と同様、（ｃ）の過熱度調整制御とともに（ｄ）の目標過熱度変更制御を実行することで、各蒸発器４ａ〜４ｃの機能状態と機能停止状態とへの切り換え状況の変化（機能状態にある蒸発器４ａ〜４ｃの個数ｎの変化）や、外気温ｔｏの変化（該当する外気温範囲Ｔ１〜Ｔ３の変化）にかかわらず、冷凍回路Ｒの運転状態を適正な運転状態に保つようにしてある。
【００８４】
以上要するに、本第３実施形態の自動販売機において、制御装置１５は、冷媒経路上で直列に配置した蒸発器４ａ〜４ｃの各々を機能状態と機能停止状態とに切り換える切換操作を行うとともに、それら蒸発器４ａ〜４ｃの直列配置群における冷媒出口での冷媒過熱度Ｓが目標過熱度Ｓｍになるように各蒸発器４ａ〜４ｃに対する共通電子制御膨張弁１０の開度を調整する制御手段を構成する。
【００８５】
そして、この制御装置１５は、各蒸発器４ａ〜４ｃの機能状態と機能停止状態とへの切り換え状況（機能状態にある蒸発器４ａ〜４ｃの個数ｎ）、及び、外気温ｔｏ（該当する外気温範囲Ｔ１〜Ｔ３）に応じ、蒸発器４ａ〜４ｃの直列配置群についての上記目標過熱度Ｓｍを変更する構成にしてある。
【００８６】
〔第４実施形態〕
図５は、冷凍回路Ｒの回路構成、及び、庫内冷却構成が第１〜第３実施形態の自動販売機と相違する自動販売機を示し、この自動販売機では、第２商品庫２ｂの蒸発器を省いて、第１商品庫２ａに対する蒸発器４ａと第３商品庫２ｃに対する蒸発器４ｃとを冷凍回路Ｒの冷媒経路上で並列に配置し、そして、第１商品庫２ａの蒸発器４ａに対する電子制御膨張弁１０ａ、並びに、第３商品庫２ｃの蒸発器４ｃに対する開閉弁Ｖｃ及びキャピラリーチューブＣを冷凍回路Ｒに装備してある。
【００８７】
また、第１商品庫２ａと第２商品庫２ｂとの間の隔壁には、両庫２ａ，２ｂを連通させる連通路ｆ、及び、その連通路ｆを開閉するシャッター装置１６を設け、第２商品庫２ｂが冷却庫としての使用を指定されている状況では、シャッター装置１６を連通路開き状態にして、冷却専用庫である第１商品庫２ａに対し第２商品庫２ｂを連通路ｆを通じて連通させることにより、第１商品庫２ａに対する蒸発器４ａをもって第１及び第２商品庫２ａ，２ｂの両方の庫内を冷却する（換言すれば、庫内冷却上で第１及び第２商品庫２ａ，２ｂを共通蒸発器４ａにより庫内冷却を行う実質的に１つの商品庫にする）ようにしてある。
【００８８】
１３ａは第１商品庫２ａに対する蒸発器４ａの冷媒入口における冷媒温度ｔｒｉを検出する入口冷媒温度センサ、１４ａは第１商品庫２ａに対する蒸発器４ａの冷媒出口における冷媒温度ｔｒｏを検出する出口冷媒温度センサである。
【００８９】
そして、この自動販売機において制御装置１５は各センサの検出情報に基づき次の（ａ）〜（ｄ）の各制御を実行する。
【００９０】
（ａ）冷却庫温調制御
第２商品庫２ｂが冷却庫としての使用を指定されているときには、シャッター装置１６を連通路開き状態にして、第１商品庫２ａに対し第２商品庫２ｂを連通路ｆを通じて連通させ、その状態で、第１及び第２商品庫２ａ，２ｂについて、庫温センサ１１ａにより検出される第１商品庫２ａの庫内温度ｔｉと庫温センサ１１ｂにより検出される第２商品庫２ｂの庫内温度ｔｉとの両方が目標冷却温度範囲Ｘを低温側に逸脱すると、電子制御膨張弁１０ａを閉弁して、第１商品庫２ａの蒸発器４ａを機能状態から機能停止状態に切り換える。
【００９１】
また、庫温センサ１１ａにより検出される第１商品庫２ａの庫内温度ｔｉと庫温センサ１１ｂにより検出される第２商品庫２ｂの庫内温度ｔｉとの少なくとも一方が目標冷却温度範囲Ｘを高温側に逸脱すると、電子制御膨張弁１０ａを開弁して、第１商品庫２ａの蒸発器４ａを機能停止状態から機能状態に切り換える。
【００９２】
これに対し、第２商品庫２ｂが加熱庫としての使用を指定されているときには、シャッター装置１６を連通路閉じ状態にして、冷却専用庫である第１商品庫２ａと第２商品庫２ｂとの連通路ｆを通じての連通を断ち、その状態で、第１商品庫２ａについて、庫温センサ１１ａにより検出される第１商品庫２ａの庫内温度ｔｉが目標冷却温度範囲Ｘを低温側に逸脱すると、電子制御膨張弁１０ａを閉弁して、第１商品庫２ａの蒸発器４ａを機能状態から機能停止状態に切り換え、また、庫温センサ１１ａにより検出される第１商品庫２ａの庫内温度ｔｉが目標冷却温度範囲Ｘを高温側に逸脱すると、電子制御膨張弁１０ａを開弁して、第１商品庫２ａの蒸発器４ａを機能停止状態から機能状態に切り換える。
【００９３】
一方、第３商品庫２ｃについては、それが冷却庫としての使用を指定されているとき、庫温センサ１１ｃにより検出される庫内温度ｔｉが目標冷却温度範囲Ｘを低温側に逸脱すると、開閉弁Ｖｃを閉弁して第３商品庫２ｃに対する蒸発器４ｃを機能状態から機能停止状態に切り換え、また、庫温センサ１１ｃにより検出される庫内温度ｔｉが目標冷却温度範囲Ｘを高温側に逸脱すると、開閉弁Ｖｃを開弁して第３商品庫２ｃに対する蒸発器４ｃを機能停止状態から機能状態に切り換える。
【００９４】
すなわち、この冷却庫温調制御により、冷却庫として使用されている商品庫の庫内温度ｔｉを極力、目標冷却温度範囲Ｘの範囲内に保つようにする。
【００９５】
なお、電子制御膨張弁１０ａ及び開閉弁Ｖｃの両方を閉弁して全ての蒸発器４ａ，４ｃを機能停止状態にする際には、次に電子制御膨張弁１０ａと開閉弁Ｖｃとの少なくとも一方を開弁して少なくとも１つの蒸発器４ａ，４ｃを機能状態に切り換えるときまで、圧縮機６の運転を停止して冷凍回路Ｒの運転そのものを停止する。
【００９６】
（ｂ）加熱庫温調制御
第２商品庫２ｂが加熱庫としての使用を指定されているときには、シャッター装置１６の連通路閉じ状態の下で、庫温センサ１１ｂにより検出される第２商品庫２ｂの庫内温度ｔｉが目標加熱温度範囲Ｙを高温側に逸脱すると、第２商品庫の加熱器８ｂを機能状態から機能停止状態に切り換え、また、庫温センサ１１ｂにより検出される第２商品庫２ｂの庫内温度ｔｉが目標加熱温度範囲Ｙを低温側に逸脱すると、第２商品庫の加熱器８ｂを機能停止状態から機能状態に切り換える。
【００９７】
同様に、第３商品庫２ｃが加熱庫としての使用を指定されているときには、対応蒸発器４ｃの機能停止状態の下で、庫温センサ１１ｃにより検出される第３商品庫２ｃの庫内温度ｔｉが目標加熱温度範囲Ｙを高温側に逸脱すると、第３商品庫の加熱器８ｃを機能状態から機能停止状態に切り換え、また、庫温センサ１１ｃにより検出される第３商品庫２ｃの庫内温度ｔｉが目標加熱温度範囲Ｙを低温側に逸脱すると、第３商品庫の加熱器８ｃを機能停止状態から機能状態に切り換える。
【００９８】
すなわち、この加熱庫温調制御により、加熱庫として使用されている商品庫の庫内温度ｔｉを目標加熱温度範囲Ｙの範囲内に保つ。
【００９９】
（ｃ）過熱度調整制御
第１商品庫２ａの蒸発器４ａにつき、出口冷媒温度センサ１４ａにより検出される出口冷媒温度ｔｒｏから入口冷媒温度センサ１３ａにより検出される入口冷媒温度ｔｒｉを減算して、第１商品庫２ａの蒸発器４ａにおける冷媒出口での冷媒過熱度Ｓ（＝ｔｒｏ―ｔｒｉ）を算出する。
【０１００】
そして、算出した冷媒過熱度Ｓに応じ電子制御膨張弁１０ａの開度を調整して、第１商品庫２ａに対する蒸発器４ａの冷媒出口における冷媒過熱度Ｓを目標過熱度Ｓｍに調整する。
【０１０１】
（ｄ）目標過熱度変更制御
各蒸発器４ａ，４ｃの機能状態と機能停止状態とへの切り換えに関する３つの切り換え状況Ｍ１〜Ｍ３と、３つの外気温範囲Ｔ１〜Ｔ３と、過熱度Ｓ１〜Ｓ９との三者についての図６に示す如き設定対応関係Ｋ′に基づき、第１商品庫２ａの蒸発器４ａについての前記目標過熱度Ｓｍを、その設定対応関係Ｋ′上において、その時の蒸発器切り換え状況Ｍ１〜Ｍ３とその時の外気温センサ１２による検出外気温ｔｏが属する外気温範囲Ｔ１〜Ｔ３との両方に対応する過熱度Ｓ１〜Ｓ９に変更する。
【０１０２】
なお、上記の設定対応関係Ｋ′において、３つの切り換え状況Ｍ１〜Ｍ３とは、第１商品庫２ａの蒸発器４ａのみが機能状態にある状況Ｍ１と、第３商品庫２ｃの蒸発器４ｃのみが機能状態にある状況Ｍ２と、両蒸発器４ａ，４ｃがともに機能状態にある状況Ｍ３との３状況である。
【０１０３】
また、前述の各実施形態と同様、３つの外気温範囲Ｔ１〜Ｔ３は、年間を通じての外気温ｔｏの変化範囲を夏季の外気温変化範囲と冬季の外気温変化範囲と中間季の外気温変化範囲とに区分したものであり、蒸発器４ａについての各過熱度Ｓ１〜Ｓ９には、対応する切り換え状況Ｍ１〜Ｍ３及び対応する外気温範囲Ｔ１〜Ｔ３の下で冷凍回路Ｒの運転状態を適正なものにする過熱度を選定してある。
【０１０４】
つまり、この自動販売機においても、前述の各実施形態の自動販売機と同様、（ｃ）の過熱度調整制御とともに（ｄ）の目標過熱度変更制御を実行することで、各蒸発器４ａ，４ｃの機能状態と機能停止状態とへの切り換え状況の変化（該当する切り換え状況Ｍ１〜Ｍ３の変化）や、外気温ｔｏの変化（該当する外気温範囲Ｔ１〜Ｔ３の変化）にかかわらず、冷凍回路Ｒの運転状態を適正な運転状態に保つようにしてある。
【０１０５】
以上要するに、本第４実施形態の自動販売機において、制御装置１５は、一部のものに電子制御膨張弁１０ａを装備しかつ他のものにキャピラリーチューブＣを装備して冷媒経路上で並列に配置した蒸発器４ａ，４ｃの各々を機能状態と機能停止状態とに切り換える切換操作を行うとともに、それら蒸発器４ａ，４ｃのうちの電子制御膨張弁１０ａを装備した一部の蒸発器４ａにおける冷媒出口での冷媒過熱度Ｓが目標過熱度Ｓｍになるように、その電子制御膨張弁１０ａの開度を調整する制御手段を構成する。
【０１０６】
そして、この制御装置１５は、各蒸発器４ａ，４ｃの機能状態と機能停止状態とへの切り換え状況（該当する切り換え状況Ｍ１〜Ｍ３）、及び、外気温ｔｏ（該当する外気温範囲Ｔ１〜Ｔ３）に応じ、電子制御膨張弁１０ａを装備した蒸発器４ａついての上記目標過熱度Ｓｍを変更する構成にしてある。
【０１０７】
なお、第１〜第４実施形態の各自動販売機において、制御装置１５は、目標過熱度Ｓｍの変更が短時間の間に繰り返されることよる冷凍回路運転状態の不安定化を防止する為、目標過熱度Ｓｍの変更を実施した後、設定時間Ｔｗの間は目標過熱度Ｓｍの変更を実施しない構成にしてある。
【０１０８】
また、第４実施形態の自動販売機では、電子制御膨張弁１０ａを装備した一部蒸発器４ａの冷媒出口での冷媒過熱度Ｓが目標過熱度Ｓｍになるように電子制御膨張弁１０ａの開度を調整する構成において、各蒸発器４ａ，４ｃの機能状態と機能停止状態とへの切り換え状況（該当する切り換え状況Ｍ１〜Ｍ３）や外気温ｔｏ（該当する外気温範囲Ｔ１〜Ｔ３）に応じ、その一部蒸発器４ａについての上記目標過熱度Ｓｍを変更するようにしたが、これに代え、電子制御膨張弁１０ａを装備した一部蒸発器４ａとキャピラリーチューブＣを装備した他の蒸発器４ｃとを冷媒経路上で並列配置する構成において、それら蒸発器４ａ，４ｃの並列配置群における冷媒出口での冷媒過熱度Ｓが目標過熱度Ｓｍになるように一部蒸発器４ａに対する電子制御膨張弁１０ａの開度を調整するようにし、そして、各蒸発器４ａ，４ｃの機能状態と機能停止状態とへの切り換え状況（該当する切り換え状況Ｍ１〜Ｍ３）や外気温ｔｏ（該当する外気温範囲Ｔ１〜Ｔ３）に応じ、それら蒸発器４ａ，４ｃの並列配置群についての上記目標過熱度Ｓｍを変更するようにしてもよい。
【０１０９】
第２〜第４実施形態の自動販売機について、第１実施形態の自動販売機と同様の部分については、第１実施形態の自動販売機において各部に付した符号と同じ符号を付してある。
【０１１０】
〔別の実施形態〕
次に別実施形態を列記する。
【０１１１】
前述の各実施形態では、蒸発器各々の機能状態と機能停止状態とへの切り換え状況、及び、外気温の両方に応じて目標過熱度Ｓｍを変更する例を示したが、本発明の実施において、場合によっては、蒸発器各々の機能状態と機能停止状態とへの切り換え状況のみに応じて目標過熱度Ｓｍを変更する構成にしてもよく、また、蒸発器各々の機能状態と機能停止状態とへの切り換え状況、及び、外気温以外の単数ないし複数の条件（又は外気温を含む複数の条件）に応じて目標過熱度Ｓｍを変更する構成にしてもよい。
【０１１２】
蒸発器の冷媒出口や蒸発器群の冷媒出口における冷媒過熱度Ｓを検出するのに、前述の各実施形態では、出口冷媒温度センサにより検出する出口冷媒温度ｔｒｏと入口冷媒温度センサにより検出する入口冷媒温度ｔｒｉとに基づき、それらの差として冷媒過熱度Ｓを検出するようにしたが、本発明の実施において、冷媒過熱度Ｓの検出には、これに限らず種々の検出方式を採用することができ、蒸発器の冷媒出口や蒸発器群の冷媒出口における冷媒過熱度Ｓの検出を冷媒圧力の検出などに基づいて行うようにしてもよい。
【０１１３】
本発明の実施において、蒸発器の各々を機能状態と機能停止状態とに切り換えるための構造は前述の各実施形態で示した切り換え構造に限らず、種々の構造を採用することができ、また、各商品庫に対する蒸発器の装備構造もどのような構造であってもよい。
【０１１４】
複数の商品庫の各々は、冷却庫と加熱庫とに切り換え使用可能なもの、あるいは、冷却専用庫のいずれであってもよく、また、各商品庫に収納する商品もペットボトル飲料や缶飲料に限らず、どのような商品であってもよい。
【０１１５】
【図面の簡単な説明】
【図１】第１実施形態の自動販売機を示す概略装置構成図
【図２】切換状況と外気温と過熱度とについての設定対応関係を示す図表
【図３】第２実施形態の自動販売機を示す概略装置構成図
【図４】第３実施形態の自動販売機を示す概略装置構成図
【図５】第４実施形態の自動販売機を示す概略装置構成図
【図６】切換状況と外気温と過熱度とについての設定対応関係を示す図表
【符号の説明】
２ａ〜２ｃ　　　　商品庫
４ａ〜４ｃ　　　　蒸発器
５　　　　　　　　凝縮器
１０　　　　　　　電子制御膨張弁
１０ａ〜１０ｃ　　電子制御膨張弁
１５　　　　　　　制御手段
Ｃ　　　　　　　　キャピラリーチューブ
Ｋ，Ｋ′　　　　　設定対応関係
Ｍ１〜Ｍ３　　　　切り換え状況
ｎ　　　　　　　　切り換え状況
Ｒ　　　　　　　　冷凍回路
Ｓ　　　　　　　　冷媒過熱度
Ｓｍ　　　　　　　目標過熱度
ｔｏ　　　　　　　外気温
Ｔｗ　　　　　　　設定時間
【図１】
2004078356.tif 000003
【図２】
2004078356.tif 000004
【図３】
2004078356.tif 000005
【図４】
2004078356.tif 000006
【図５】
2004078356.tif 000007
【図６】
2004078356.tif 000008